(57)【要約】【課題】密封性を保ちつつ、収容物を圧迫せずに開封できるようにした食品包装体を提供すること。【解決手段】開封用のカットテープ１をその第１面で内面に接着したフィルムで構成した袋３の内部に食品４を収容した食品包装体であって、カットテープ１はヒートシールにより形成されたフィルム２どうしの接着部５と交差しており、その交差箇所におけるカットテープ１の第２面が、前記接着部５の形成時におけるヒートシールにより対向する側の袋３の内面に剥離可能に接着して密封性が保たれるようにしている。【選択図】  図４
2010111416.tif 000002
【特許請求の範囲】
【請求項１】
開封用のカットテープ（１）をその第１面（１ａ）で内面に接着したフィルム（２）で構成した袋（３）の内部に食品（４）を収容した食品包装体であって、カットテープ（１）はヒートシールにより形成されたフィルム（２）どうしの接着部（５）と交差しており、その交差箇所（Ａ）におけるカットテープ（１）の第２面（１ｂ）が、前記接着部（５）の形成時におけるヒートシールにより、対向する側の袋（３）の内面に剥離可能に接着して密封性が保たれるようにしていることを特徴とする食品包装体。
【請求項２】
カットテープ（１）をフィルム（２）の前後方向に延びるように設け、フィルム（２）の左端部（２０）と右端部（２１）を接着して筒状にし、その前端付近と後端付近のそれぞれに左右両端間にわたって対向する互いの内面が接着した接着部（５）（７）（８）を設けることにより袋（３）を構成し、カットテープ（１）が前記接着部（５）（７）（８）の少なくとも１つと交差するものである請求項１記載の食品包装体。
【請求項３】
カットテープ（１）をフィルム（２）の左右方向に延びるように設け、フィルム（２）の左端部（２０）と右端部（２１）に、カットテープ（１）と交差するとともに前後両端間にわたって対向する互いの内面が接着した接着部（５）を設けることによりフィルム（２）を筒状にし、その前端付近と後端付近のそれぞれに左右両端間にわたって対向する互いの内面が接着した接着部（９）（１０）を設けることにより袋（３）を構成したものである請求項１記載の食品包装体。
【発明の詳細な説明】
【技術分野】
【０００１】
この発明は、菓子パンや巻寿司等の食品を包装した食品包装体に関するものである。
【背景技術】
【０００２】
菓子パンや巻寿司等を包装した食品包装体としては、例えば特許文献１に記載のような、袋の前端付近と後端付近のそれぞれに左右両端間にわたって対向する互いの内面が接着した接着部を有するとともに、袋の前後方向（長尺方向）の両端にわたって延びる接着部を有するものがある。
【０００３】
このような食品包装体を開封するには、前端付近又は後端付近の接着部、あるいは袋の前後方向に延びる接着部における接着したフィルムを剥離させるのであるが、開封するときに袋の外側から手で食品を強く押さえつけてしまい、食品が圧迫され変形することが多かった。特に食品が表面にチョコレートやクリームを塗布した菓子パンである場合は、開封時にチョコレートやクリームが食品本体から離れて袋の内面に付着するなどして本来の状態が著しく損なわれ、食べにくくなったり、見栄えが悪くなったりすることが多かった。
【特許文献１】特開平１０−１８１７７０号公報
【発明の開示】
【発明が解決しようとする課題】
【０００４】
そこで、この発明は、密封性を保ちつつ、食品を圧迫せずに開封できるようにした食品包装体を提供することを課題とする。
【課題を解決するための手段】
【０００５】
前記課題を解決するため、この発明は次のような技術的手段を講じている。
【０００６】
この発明の食品包装体は、開封用のカットテープ１をその第１面１ａで内面に接着したフィルム２で構成した袋３の内部に食品４を収容した食品包装体であって、カットテープ１はヒートシールにより形成されたフィルム２どうしの接着部５と交差しており、その交差箇所Ａにおけるカットテープ１の第２面１ｂが、前記接着部５の形成時におけるヒートシールにより、対向する側の袋３の内面に剥離可能に接着して密封性が保たれるようにしている。
【０００７】
また、カットテープ１をフィルム２の前後方向に延びるように設け、フィルム２の左端部２０と右端部２１を接着して筒状にし、その前端付近と後端付近のそれぞれに左右両端間にわたって対向する互いの内面が接着した接着部５，７，８を設けることにより袋３を構成し、カットテープ１が前記接着部５，７，８の少なくとも１つと交差するものとすることができる。
【０００８】
あるいは、カットテープ１をフィルム２の左右方向に延びるように設け、フィルム２の左端部２０と右端部２１に、カットテープ１と交差するとともに前後両端間にわたって対向する互いの内面が接着した接着部５を設けることによりフィルム２を筒状にし、その前端付近と後端付近のそれぞれに左右両端間にわたって対向する互いの内面が接着した接着部９，１０を設けることにより袋３を構成したものとすることができる。
【発明の効果】
【０００９】
この発明の食品包装体は、上述のような構成を有しており、ヒートシールにより形成されたフィルム２どうしの接着部５とカットテープ１が交差しているが、交差箇所Ａにおけるカットテープ１の第２面１ｂも、対向する側のフィルム２の内面にヒートシールにより接着されているので密封性が保たれ、しかも、カットテープ１でフィルム２を引き裂くことにより、食品４を圧迫することなく容易に開封することが可能である。
【発明を実施するための最良の形態】
【００１０】
以下、この発明の好適な実施形態を、図面を参照して説明する。
【００１１】
図１は、この発明の第１の実施形態の食品包装体に使用されるカットテープ付きのフィルム２の平面図、図２は前記フィルム２の内側に食品４を入れて筒状にした場合の斜視図、図３は食品包装体の背面図、図４は食品包装体の正面図、図５は食品包装体を開封する様子を示す説明図、図６はカットテープ１の断面図である。
【００１２】
この食品包装体は、開封用のカットテープ１をその第１面１ａで内面に接着したフィルム２で構成した袋３の内部に食品４を収容した食品包装体であって、カットテープ１はヒートシールにより形成されたフィルム２どうしの接着部５と交差しており、その交差箇所Ａにおけるカットテープ１の第２面１ｂが、前記接着部５の形成時におけるヒートシールにより、対向する側の袋３の内面に剥離可能に接着して密封性が保たれるようにしたものとしている。
【００１３】
この食品包装体の第１の実施形態では、カットテープ１をフィルム２の前後方向に延びるように設け、フィルム２の左端部２０と右端部２１（図１中の破線の外側の部分）を接着して筒状にし、その前端付近と後端付近のそれぞれに左右両端間にわたって対向する互いの内面が接着した接着部５を設けることにより袋３を構成し、カットテープ１が前記接着部５の少なくとも１つと交差するものとしている。なお、説明の便宜上、前後方向は図１中の縦方向で、フィルム２の前端は図１中のフィルム２の上端、後端は同下端とする。
【００１４】
この食品包装体の袋３は、図１に示したようなカットテープ付きの１枚のフィルム２から形成される。フィルム２は、厚さ３０μｍのＯＰＰ（二軸延伸ポリプロピレン）製で、横３１０ｍｍ、縦２７０ｍｍ程度の長方形状としている。また、フィルム２は、少なくとも内面がヒートシール性を有するものとしている。具体的には、内面側にコーポリ（共重合体）タイプのシール層を有し、外面側にホモタイプ（単独重合体）の層を有するものとすることができる。
【００１５】
カットテープ１は、横幅５ｍｍ程度で、フィルム２の前後両端間にわたって延びる細い帯状のものとしている。また、カットテープ１は、両面（第１面１ａと第２面１ｂ）がヒートシール性を有するものとしている。具体的には、図６に示したように、ヒートシール可能なコーポリタイプのシール層１０と、ヒートシール性のないホモタイプの層１１の２層からなる厚さ３０μｍのＯＰＰ製の２枚のテープを、互いのホモタイプの層１１を接着剤１２で貼り合わせ、表裏にコーポリタイプのシール層１０が第１面１ａと第２面１ｂとして表れるようにしたものとすることができる。
【００１６】
カットテープ１は、第１面１ａがフィルム２の内面にヒートシールされることにより接着されている。カットテープ１の位置は適宜変更することができ、図１に示したようなフィルム２の中央の位置に限定されない。また、カットテープ１及びフィルム２は、透明なものでも、適宜着色したり文字や図柄を付したりしたものであってもよい。
【００１７】
カットテープ付きのフィルム２は、まず前後方向に長尺なものを形成し、所定間隔で横方向に切断して上記のような寸法に形成することにより、容易に大量生産することが可能である。この場合、切断前のフィルム２は、ロール状に巻かれたものとするとよい。
【００１８】
フィルム２には、その中央の前端縁から１ｃｍ程度の間隔を置いて、カットテープ１を跨ぐ上下反転略Ｕ字状の切り目を形成することにより開封用操作片６を設けている。前記切り目は、フィルム２及びカットテープ１を貫通している。
【００１９】
このフィルム２で袋３を構成するには、図２に示したようにフィルム２の左右両端部２０、２１をあわせるようにして曲げ、前記両端部２０、２１の互いの内面をヒートシールにより接着して筒状にする。フィルム２の左右両端部２０、２１を接着する前に、図示したように食品４を収容した状態にするとよいが、食品４は前記接着後に収容してもよい。
【００２０】
そして、筒状にしたフィルム２の前端付近と後端付近のそれぞれに左右両端間にわたって対向する互いの内面が接着した接着部５，７，８を設けて、前後両端間に食品４が収容された密閉部分を形成することにより、図３、図４に示したような袋３が構成される。図３は、前記フィルム２の左右両端部２０、２１の互いの内面をヒートシールした側を表側にした状態を示す図であり、図４は、開封用操作片６を設けた面を表側にした状態を示す図である。この実施形態では、図４に示した側を袋３の表側、図３に示した側を袋３の裏側とするが、どちらを表側、裏側としてもよい。
【００２１】
なお、フィルム２の右端部２１は折り曲げられ、図３に示したように、その上に重なる左端部２０があらわれるようにしている。
【００２２】
この実施形態では、袋３の前端付近において接着部５，７が平行に２つ設けられており、一方の接着部５は袋３の前端縁部よりやや内側において十字状にカットテープ１と交差し、他方の接着部７は袋３の前端縁部に位置する。これら前端付近における両接着部５，７は、それぞれ２ｍｍ程度の幅を有するもので、両接着部５，７の間に１０ｍｍ程度の間隔をあけ、開封用操作片６が位置するようにしている。
【００２３】
前記一方の接着部５は、袋３の表側と裏側の各フィルム２の内面どうしがヒートシールにより接着したものであるが、カットテープ１と交差する箇所Ａにおいては、袋３の表側と裏側の各フィルム２の内面どうしが直接接着していない。しかし、カットテープ１はその第２面１ｂ（表側のフィルム２の内面に接着していない面）がヒートシール性を有しているため、前記ヒートシールの工程時に、前記接着部５との交差箇所Ａにおける第２面１ｂが、対向する袋３の裏側のフィルム２の内面に接着する。
【００２４】
したがって、接着部５は、カットテープ１と交差する箇所Ａがあっても、袋３の左右両端間にわたって連続してヒートシールされた状態となっており、高い密封性が得られる。
【００２５】
前記他方の接着部７は、カットテープ１とＴ字状に重なっているが、前記一方の接着部５と同様に袋３の左右両端間にわたって連続してヒートシールされた状態となる。なお、カットテープ１が前記他方の接着部７と重ならないように、カットテープ１の前端側を短く形成し、前記他方の接着部７を袋３の左右両端間にわたって形成して、より高い密封性を得られるようにしてもよい。
【００２６】
また、前記他方の接着部７の接着強度を前記一方の接着部５より強くしてもよい。この場合、前記他方の接着部７の強い接着強度により高い密封性が得られるとともに、前記一方の接着部５の接着強度が弱いため、カットテープ１を比較的小さな力で袋３の裏側のフィルム２の内面から剥離させられるので、開封がきわめて容易になる。前記他方の接着部７を省略して実施することも可能である。
【００２７】
袋３の後端付近の接着部８は、後端縁部において１５ｍｍ程度の幅を有するものとしている。なお、袋３の内部の食品４は、この後端付近の接着部８を形成する直前に収容するようにしてもよい。
【００２８】
この食品包装体を開封する場合は、開封用操作片６を指でつまんで引っ張り、図５に示したように、前端側から後端側に向かってフィルム２を引き裂いていく。カットテープ１は、接着部５との交差箇所Ａにおいて袋３の裏側のフィルム２の内面に接着しているが、引き裂き時に剥離して開封作業の妨げにならないようになっている。比較的長い菓子パンや巻寿司等を収容している場合は、フィルム２を途中まで引き裂いて、食べようとする部分だけを袋３の外部に露出させ、残りの部分を露出させないようにすることができる。
【００２９】
なお、開封用操作片６は、袋３における接着部５と接着部８の間の密封部分の外側に位置するため、開封する前は、開封用操作片６によって袋３の密封性が損なわれることはない。
【００３０】
図７はこの発明の第２の実施形態の食品包装体の正面図である。この食品包装体は、袋３の前端付近と後端付近にカットテープ１と交差する接着部５を各１つ設け、袋３の表側のフィルム２の前記各接着部５の前後外方において、カットテープ１の前後各端部の左右両側に２本の切れ目を設けて開封用操作片６を形成したものである。その他の構成は、前述の第１の実施形態と同様とすることができる。この第２の実施形態の食品包装体は、袋３の前端側、後端側のいずれからでも開封することができる。
【００３１】
図８はこの発明の第３の実施形態の食品包装体の正面図、図９は同背面図、図１０はカットテープ１とフィルム２との交差箇所Ａ付近の断面図である。この第３の実施形態食品包装体は、カットテープ１をフィルム２の左右方向に延びるように設け、フィルム２の左端部２０と右端部２１に、カットテープ１と交差するとともに前後両端間にわたって対向する互いの内面が接着した接着部５を設けることによりフィルム２を筒状にし、その前端付近と後端付近のそれぞれに左右両端間にわたって対向する互いの内面が接着した接着部９，１０を設けることにより袋３を構成したものとしている。
【００３２】
フィルム２の右端部２１は折り曲げられ、図９に示したように、その上に左端部２０が重なるようにしている。図１０においては、フィルム２の左端部２０と右端部２１を起こした状態で示している。
【００３３】
前記カットテープ１は、袋３の前後方向の中央付近において周回方向に設けられた態様となっており、フィルム２には、前記接着部５の外方におけるカットテープ１の一端の両側に２本の切れ目を設けて開封用操作片６を形成している。図９に示したように、フィルム２の左端部２０が右端部２１の上に重なるようにした場合には、開封用操作片６は、左端部２０に設けるとよい。開封用操作片６を設けた箇所において、フィルム２の左端部２０と右端部２１は接着していないため、フィルム２は開封用操作片６から容易に引き裂いていくことができる。
【００３４】
この第３の実施形態食品包装体は、カットテープ１を左右方向に引き裂くことにより、袋３を前後に２分するように開封することが可能である。なお、フィルム２やカットテープ１の材質、構造等は、前述の第１の実施形態と同様とすることができる。
【００３５】
以上がこの発明の好適な実施形態であるが、この発明は上述の実施形態の構成に限定されるものではなく、素材、形状、寸法等を適宜変更して実施することができる。
【図面の簡単な説明】
【００３６】
【図１】この発明の第１の実施形態の食品包装体に使用されるカットテープ付きのフィルムの平面図である。
【図２】前記フィルムの内側に収容物を入れて筒状にした場合の斜視図である。
【図３】この発明の第１の実施形態の食品包装体の食品包装体の背面図である。
【図４】この発明の第１の実施形態の食品包装体の食品包装体の正面図である。
【図５】この発明の第１の実施形態の食品包装体の食品包装体を開封する様子を示す説明図である。
【図６】前記カットテープの断面図である。
【図７】この発明の第２の実施形態の食品包装体の食品包装体の正面図である。
【図８】この発明の第３の実施形態の食品包装体の正面図である。
【図９】この発明の第３の実施形態の食品包装体の背面図である。
【図１０】この発明の第３の実施形態の食品包装体のカットテープとフィルムとの交差箇所付近の断面図である。
【符号の説明】
【００３７】
１  カットテープ
１ａ  第１面
１ｂ  第２面
２  フィルム
２０  左端部
２１  右端部
３  袋
４  食品
５，７，９，１０  接着部
Ａ  交差箇所
【図１】
2010111416.tif 000003
【図２】
2010111416.tif 000004
【図３】
2010111416.tif 000005
【図４】
2010111416.tif 000006
【図５】
2010111416.tif 000007
【図６】
2010111416.tif 000008
【図７】
2010111416.tif 000009
【図８】
2010111416.tif 000010
【図９】
2010111416.tif 000011
【図１０】
2010111416.tif 000012